(57)【要約】  【課題】  ＤＶＤ−ＶＩＤＥＯフォーマットのタイトルに対してセル単位での削除編集が可能な光ディスク装置等を提供する。  【解決手段】  制御部は、ユーザから第１タイトル中の１つまたは連続した複数のセルから成る部分を削除する指示を取得した場合、ユーザの指定により第１または第２の制御を行う。第１制御では、削除部分よりも再生順序が１つ前のセルの再生後に削除部分の次のセルへ移動するセルコマンド“ＬｉｎｋＣＮ”を管理情報ファイルに書き込む。第２制御では、削除部分よりも１つ前のセルの再生後に第２タイトルへジャンプするセルコマンド“ＪｕｍｐＴＴ”を管理情報ファイルに書き込み、第１タイトルにおいて削除部分よりも後ろの部分を第１タイトルの新規のチャプターとして管理情報ファイル上分割し、第２タイトルの再生後に当該新規のチャプターへジャンプするポストコマンド“ＪｕｍｐＶｔｓＰｔｔ”を管理情報ファイルに書き込む。【選択図】      図９
2006338708.tif 000002
【特許請求の範囲】
【請求項１】
ＤＶＤ−ＶＩＤＥＯフォーマットに準拠したタイトルを編集可能な光ディスク装置であ
って、
制御部と、
前記制御部の制御下、第１タイトルと第２タイトルと前記第１および第２タイトルを規
定する管理情報ファイルとが記録された光ディスクに対して書き込みが可能な光ディスク
ドライブ部と、
ユーザからの指示を取得して前記制御部へ伝達する入力部と、を備え、
前記制御部は、
前記第１タイトル中の１つまたは連続した複数のセルから成る部分を指定の削除方法で
削除する指示を前記入力部を介して取得した場合、前記指定の削除方法に従って、
当該削除部分よりも再生順序が１つ前のセルの再生後に再生順序が前記削除部分の次の
セルへ移動するセルコマンドを、前記管理情報ファイルに書き込む第１制御と、
前記１つ前のセルの再生後に前記第２タイトルへジャンプするセルコマンドを前記管理
情報ファイルに書き込む制御と、前記第１タイトルにおいて前記削除部分よりも再生順序
が後ろの部分を前記第１タイトルの新規のチャプターとして前記管理情報ファイル上分割
する制御と、前記第２タイトルの再生後に前記新規のチャプターへジャンプするポストコ
マンドを前記管理情報ファイルに書き込む制御と、を含む第２制御と、
のいずれかを実行することを特徴とする光ディスク装置。
【請求項２】
ＤＶＤ−ＶＩＤＥＯフォーマットに準拠したタイトルを編集するための編集装置であっ
て、
制御部と、
前記制御部の制御下、第１タイトルおよび前記第１タイトルを規定する管理情報ファイ
ルが記録された記録媒体に対して書き込みが可能な記録媒体ドライブ部と、
ユーザからの指示を取得して前記制御部へ伝達する入力部と、を備え、
前記制御部は、
前記第１タイトル中の１つまたは連続した複数のセルから成る部分を削除する指示を前
記入力部を介して取得した場合、当該削除部分よりも再生順序が１つ前のセルの再生後に
前記削除部分の再生を飛ばす内容のセルコマンドを、前記管理情報ファイルに書き込むこ
とを特徴とする編集装置。
【請求項３】
前記セルコマンドは、前記１つ前のセルの再生後に、再生順序が前記削除部分の次のセ
ルへ移動するセルコマンドであることを特徴とする請求項２に記載の編集装置。
【請求項４】
前記記録媒体にはさらに第２タイトルが記録されているとともに、前記管理情報ファイ
ルには前記第２タイトルも規定されており、
前記セルコマンドは、前記１つ前のセルの再生後に前記第２タイトルへジャンプするセ
ルコマンドであり、
前記制御部は、
前記第１タイトルにおいて前記削除部分よりも再生順序が後ろの部分を前記第１タイト
ルの新規のチャプターとして前記管理情報ファイル上分割し、
前記第２タイトルの再生後に前記新規のチャプターへジャンプするポストコマンドを前
記管理情報ファイルに書き込むことを特徴とする請求項２に記載の編集装置。
【発明の詳細な説明】
【技術分野】
【０００１】
本発明は、光ディスク装置および編集装置に関し、特にＤＶＤ（Digital Versatile Di
sc）−ＶＩＤＥＯフォーマットに準拠したタイトルを編集する技術に関する。
【背景技術】
【０００２】
ＤＶＤ−ＶＩＤＥＯフォーマットに準拠したＤＶＤでは、ＤＶＤビデオ領域（またはＤ
ＶＤビデオゾーン）に１つのビデオマネージャＶＭＧと１以上のビデオタイトルセットＶ
ＴＳとが記録されている。
【０００３】
ビデオマネージャＶＭＧは、ビデオマネージャ情報ＶＭＧＩと、メニュー用ビデオオブ
ジェクトセットＶＭＧＭ＿ＶＯＢＳと、バックアップＶＭＧＩ＿ＢＵＰと、で構成される
。ビデオマネージャ情報ＶＭＧＩは、ＤＶＤビデオ領域全体を管理・制御するための情報
であり、１つのファイル（いわゆるＩＦＯファイル）から成る。メニュー用ビデオオブジ
ェクトセットＶＭＧＭ＿ＶＯＢＳは、ビデオマネージャについてのメニュー用コンテンツ
であり、１つのファイルから成る。なお、当該ビデオオブジェクトセットＶＭＧＭ＿ＶＯ
ＢＳのファイルの作成は任意である。バックアップＶＭＧＩ＿ＢＵＰは上記ビデオマネー
ジャ情報のバックアップであり、１つのファイルから成る。
【０００４】
他方、ビデオタイトルセットＶＴＳは、ビデオタイトルセット情報ＶＴＳＩと、メニュ
ー用オブジェクトセットＶＴＳＭ＿ＶＯＢＳ、タイトル用ビデオオブジェクトセットＶＴ
ＳＴＴ＿ＶＯＢＳと、バックアップＶＴＳＩ＿ＢＵＰと、で構成される。ビデオタイトル
セット情報ＶＴＳＩは、そのビデオタイトルセットＶＴＳを管理・制御するための情報で
あり、１つのファイル（いわゆるＩＦＯファイル）から成る。メニュー用オブジェクトセ
ットＶＴＳＭ＿ＶＯＢＳは、そのビデオタイトルセットＶＴＳについてのメニュー用コン
テンツであり、１つのファイルから成る。タイトル用オブジェクトセットＶＴＳＴＴ＿Ｖ
ＯＢＳは、そのビデオタイトルセットＶＴＳに含まれているタイトルの再生コンテンツで
あり、１以上のファイルから成る。バックアップＶＴＳＩ＿ＢＵＰは上記ビデオタイトル
セット情報のバックアップであり、１つのファイルから成る。
【０００５】
上記タイトル用オブジェクトセットＶＴＳＴＴ＿ＶＯＢＳではコンテンツの格納・管理
の単位の一つとして「セル」という単位を用いる。各セルはプログラムチェーンＰＧＣに
よって再生順序が規定され、そのようにして連続で再生されるセルの集まりが１つのタイ
トルを構成する。また、プログラムチェーンＰＧＣ内の連続するセルを「チャプター」と
いう単位に定義することができる。
【特許文献１】特開２００３−２４２７５２号公報
【特許文献２】特開２００３−１０００５５号公報
【発明の開示】
【発明が解決しようとする課題】
【０００６】
ＤＶＤ−ＶＩＤＥＯフォーマットでは規格上データはシームレスでなければならないの
で、物理的にデータを削除することによってチャプターを削除する等の編集をすることは
できない。
【０００７】
本発明は、かかる点にかんがみてなされたものであり、ＤＶＤ−ＶＩＤＥＯフォーマッ
トのタイトルに対してセル単位での削除編集が可能な光ディスク装置および編集装置を提
供することを目的とする。
【課題を解決するための手段】
【０００８】
上記目的を達成するために本発明は、ＤＶＤ−ＶＩＤＥＯフォーマットに準拠したタイ
トルを編集可能な光ディスク装置であって、制御部と、前記制御部の制御下、第１タイト
ルと第２タイトルと前記第１および第２タイトルを規定する管理情報ファイルとが記録さ
れた光ディスクに対して書き込みが可能な光ディスクドライブ部と、ユーザからの指示を
取得して前記制御部へ伝達する入力部と、を備え、前記制御部は、前記第１タイトル中の
１つまたは連続した複数のセルから成る部分を指定の削除方法で削除する指示を前記入力
部を介して取得した場合、前記指定の削除方法に従って、当該削除部分よりも再生順序が
１つ前のセルの再生後に再生順序が前記削除部分の次のセルへ移動するセルコマンドを、
前記管理情報ファイルに書き込む第１制御と、前記１つ前のセルの再生後に前記第２タイ
トルへジャンプするセルコマンドを前記管理情報ファイルに書き込む制御と、前記第１タ
イトルにおいて前記削除部分よりも再生順序が後ろの部分を前記第１タイトルの新規のチ
ャプターとして前記管理情報ファイル上分割する制御と、前記第２タイトルの再生後に前
記新規のチャプターへジャンプするポストコマンドを前記管理情報ファイルに書き込む制
御と、を含む第２制御と、のいずれかを実行することを特徴とする。
【０００９】
このような構成によれば、ＤＶＤ−ＶＩＤＥＯフォーマットでは規格上データの物理的
な削除ができないところ、編集後の管理情報ファイルに従ってタイトルを再生すると指定
された削除部分の再生は飛ばされて再生されないので、視聴者からは当該部分（セル）が
削除されたように見える。すなわち仮想的な削除が可能になる。このとき、セルコマンド
の利用によってセル単位で削除を実施できるので、実用性の高い編集を行うことができる
。また、第１制御によれば、削除部分を飛ばして当該セルの前後を連続的に再生すること
ができるので、削除編集されたことを感じさせない視聴を提供することができる。また、
第２制御によれば、削除部分に替えて第２タイトルが再生されるので、削除されたセルが
あることを視聴者に知らせることができる。さらに、第２タイトルの再生後は新規のチャ
プターすなわち削除部分の後ろの部分へジャンプするので、削除部分よりも後ろの再生に
ついて視聴者の手を煩わせることがない。また、削除方法として第１制御か第２制御かを
ユーザが選択できるので、ユーザにとっては編集の幅が広がることになる。
【００１０】
さらに、上記目的を達成するために本発明は、ＤＶＤ−ＶＩＤＥＯフォーマットに準拠
したタイトルを編集するための編集装置であって、制御部と、前記制御部の制御下、第１
タイトルおよび前記第１タイトルを規定する管理情報ファイルが記録された記録媒体に対
して書き込みが可能な記録媒体ドライブ部と、ユーザからの指示を取得して前記制御部へ
伝達する入力部と、を備え、前記制御部は、前記第１タイトル中の１つまたは連続した複
数のセルから成る部分を削除する指示を前記入力部を介して取得した場合、当該削除部分
よりも再生順序が１つ前のセルの再生後に前記削除部分の再生を飛ばす内容のセルコマン
ドを、前記管理情報ファイルに書き込むことを特徴とする。
【００１１】
このような構成によれば、ＤＶＤ−ＶＩＤＥＯフォーマットでは規格上データの物理的
な削除ができないところ、編集後の管理情報ファイルに従ってタイトルを再生すると指定
された削除部分の再生は飛ばされて再生されないので、視聴者からは当該部分（セル）が
削除されたように見える。すなわち仮想的な削除が可能になる。このとき、セルコマンド
の利用によってセル単位で削除を実施できるので、実用性の高い編集を行うことができる
。
【００１２】
また、前記セルコマンドは、前記１つ前のセルの再生後に、再生順序が前記削除部分の
次のセルへ移動するセルコマンドであることが好ましい。このような構成によれば、削除
部分を飛ばして当該セルの前後を連続的に再生することができるので、削除編集されたこ
とを感じさせない視聴を提供することができる。
【００１３】
また、前記記録媒体にはさらに第２タイトルが記録されているとともに、前記管理情報
ファイルには前記第２タイトルも規定されており、前記セルコマンドは、前記１つ前のセ
ルの再生後に前記第２タイトルへジャンプするセルコマンドであり、前記制御部は、前記
第１タイトルにおいて前記削除部分よりも再生順序が後ろの部分を前記第１タイトルの新
規のチャプターとして前記管理情報ファイル上分割し、前記第２タイトルの再生後に前記
新規のチャプターへジャンプするポストコマンドを前記管理情報ファイルに書き込むこと
が好ましい。このような構成によれば、削除部分に替えて第２タイトルが再生されるので
、削除されたセルがあることを視聴者に知らせることができる。さらに、第２タイトルの
再生後は新規のチャプターすなわち削除部分の後ろの部分へジャンプするので、削除部分
よりも後ろの再生について視聴者の手を煩わせることがない。
【００１４】
なお、上記特許文献１，２はいずれもセルコマンドを利用することによってセル単位で
仮想的な削除編集を行う技術を開示するものではない。
【発明の効果】
【００１５】
本発明によれば、ＤＶＤ−ＶＩＤＥＯフォーマットのタイトルに対してセル単位での削
除編集が可能な光ディスク装置および編集装置を提供することができる。
【発明を実施するための最良の形態】
【００１６】
図１に本発明の実施形態に係るＤＶＤ装置（光ディスク装置または編集装置）１を説明
するためのブロック図を示す。図１に示すように、ＤＶＤ装置１は外観上、装置本体２と
リモートコントロール装置（以下「リモコン」とも呼ぶ）５１という２つの個体として捉
えられる。
【００１７】
なお、図１には説明のためにＤＶＤ（光ディスク）２００を図示しているが、ここでは
、書き込み可能な各種のＤＶＤとする。また、図１には説明のために外部接続された表示
装置６９も図示している。表示装置６９として、ＣＲＴ（Cathode-ray Tube）ディスプレ
イ、液晶パネルディスプレイ、プラズマディスプレイ等の種々のタイプの表示装置が適用
可能である。
【００１８】
図１に示すように、ＤＶＤ装置１は、制御部１０と、ＤＶＤドライブ部（光ディスクド
ライブ部または記録媒体ドライブ部）２０と、ハードディスク（ＨＤＤ）部３０と、リモ
コン５１と、リモコン受光部５２と、装置本体２に設けられた操作スイッチ（または操作
ボタン）５３と、前面パネル制御部５４と、前面パネル表示部６１と、出力信号生成部６
２と、チューナ８１と、外部入力端子８２と、スイッチ（またはセレクタ）８３と、入力
信号処理部８４と、を含んでいる。なお、前面パネル制御部５４との区別のため、制御部
１０を「メイン制御部１０」とも呼ぶことにする。
【００１９】
図１に示すように、メイン制御部１０はＣＰＵ（Central Processing Unit）１１およ
びメモリ１２を含んで構成される。なお、メモリ１２は、メイン制御部１０による各種制
御についてのプログラムやデータが格納されているＲＯＭ（Read Only Memory）や、ＣＰ
Ｕ１１がワークエリアとして利用するＲＡＭ（Random Access Memory）等を総称するもの
とする。ＣＰＵ１１がメモリ１２内のプログラムを実行することによって、メイン制御部
１０による各種制御が具現化される。
【００２０】
ＤＶＤドライブ部２０は、ＤＶＤ２００に対して書き込み動作（または記録動作）およ
び読み込み動作を実施可能に構成されており、例えば光ヘッドや当該光ヘッドのための制
御回路および機械的機構等を含んでいる。ハードディスク部３０は、映像等の大容量デー
タを記録可能であるとともに、メイン制御部１０が補助記憶装置としても利用可能なもの
である。ハードディスク部３０は一般的に「ＨＤＤ」と呼ばれる装置によって構成可能で
あるが、当該装置は、記録媒体としてのハードディスク３００と記録媒体ドライブ部とし
てのハードディスクドライブ部３１とを含んで構成される１つの個体として流通している
。ハードディスクドライブ部３１は、ハードディスク３００に対して書き込み動作（また
は記録動作）および読み込み動作を実施可能に構成されており、例えば磁気ヘッドや当該
磁気ヘッドのための制御回路および機械的機構等を含んでいる。
【００２１】
ＤＶＤドライブ部２０およびハードディスク部３０はメイン制御部１０によって動作が
制御される。特にＤＶＤ装置１では、メイン制御部１０の制御下、ＤＶＤ２００に対する
記録および読み込みを、ＤＶＤビデオフォーマットに従って実行可能に構成される。なお
、メイン制御部１０の制御下、ＤＶＤドライブ部２０およびハードディスク部３０は相互
にデータ転送可能に設けられている。
【００２２】
リモコン５１および装置本体２に設けられた操作スイッチ５３はユーザからの各種指示
を取得するための手段である。リモコン５１からの信号はリモコン受光部５２を介して前
面パネル制御部５４へ伝達される。前面パネル制御部５４は、リモコン受光部５２および
操作スイッチ５３からの信号をその内容に応じたコマンド信号に変換してメイン制御部１
０へ出力する。このとき、ＤＶＤ装置１において、リモコン５１と、リモコン受光部５２
と、操作スイッチ５３と、前面パネル制御部５４とから成る構成を「入力部５０」と呼ぶ
とき、当該入力部５０によってユーザからの指示がＤＶＤ装置１内に取得されメイン制御
部１０へ伝達される。
【００２３】
また、前面パネル制御部５４は、メイン制御部１０の制御下、種々の制御を行う。例え
ば、前面パネル制御部５４は、ＤＶＤ装置１の動作状況、操作や設定についてのガイドメ
ニュー、時刻等を前面パネル表示部６１において表示するために、当該表示部６１の表示
制御を行う。
【００２４】
チューナ８１は、不図示のテレビアンテナ等から導かれた複数のテレビ放送信号の中か
ら受信を希望するチャンネルのテレビ放送信号を選択して出力する。外部入力端子８２は
他の外部装置からの信号を取り込むための端子である。チューナ８１および外部入力端子
８２からの信号はスイッチ８３に入力され、当該スイッチ８３においていずれの信号を入
力信号処理部８４へ入力するかが切り換えられる。入力信号処理部８４は、スイッチ８３
からの信号をメイン制御部１０において処理可能な形式の信号またはデータに変換してメ
イン制御部１０へ出力する。例えば、スイッチ８３からの信号をデジタル信号に変換し更
にそのデジタル信号から符号化したデジタルデータを作成してメイン制御部１０へ出力す
る。
【００２５】
そして、メイン制御部１０は、チューナ８１、外部入力端子８２、ＤＶＤ２００、ハー
ドディスク部３０（内のハードディスク３００）から取得したデータ等に基づいて、出力
信号生成部６２を制御する。出力信号生成部６２は、メイン制御部１０の制御下、表示装
置６９に適した出力信号（映像信号および音声信号）を生成し、当該装置６９へ出力する
。例えば当該表示装置６９がアナログ方式の場合、出力信号生成部６２は、メイン制御部
１０からのデジタルデータを複合化してデジタル信号を生成し更にそのデジタル信号をア
ナログ信号に変換して出力信号を生成し、出力する。
【００２６】
また、出力信号生成部６２は、メイン制御部１０の制御下、上記出力信号として、上述
の動作状況やガイドメニュー等を表示装置６９においてＯＳＤ（オンスクリーンディスプ
レイ）表示や音声出力するための信号を生成し、出力する。
【００２７】
ここで、図２および図３にＤＶＤ−ＶＩＤＥＯフォーマットを説明するための模式図を
示す。図２に示すように、ＤＶＤ−ＶＩＤＥＯフォーマットに準拠したＤＶＤでは、ＤＶ
Ｄビデオ領域（またはＤＶＤビデオゾーン）に１つのビデオマネージャＶＭＧと１以上の
ビデオタイトルセットＶＴＳとが記録されている。なお、図２では３つのビデオタイトル
セットＶＴＳを例示している。
【００２８】
ビデオマネージャＶＭＧは、ビデオマネージャ情報ＶＭＧＩと、メニュー用ビデオオブ
ジェクトセットＶＭＧＭ＿ＶＯＢＳと、バックアップＶＭＧＩ＿ＢＵＰと、で構成される
。他方、ビデオタイトルセットＶＴＳは、ビデオタイトルセット情報ＶＴＳＩと、メニュ
ー用オブジェクトセットＶＴＳＭ＿ＶＯＢＳ、タイトル用ビデオオブジェクトセットＶＴ
ＳＴＴ＿ＶＯＢＳと、バックアップＶＴＳＩ＿ＢＵＰと、で構成される。
【００２９】
ビデオマネージャ情報ＶＭＧＩは、ＤＶＤビデオ領域全体を管理・制御するための情報
であり、ビデオタイトルセット情報ＶＴＳＩは、そのビデオタイトルセットＶＴＳを管理
・制御するための情報である。
【００３０】
タイトル用オブジェクトセットＶＴＳＴＴ＿ＶＯＢＳは、そのビデオタイトルセットＶ
ＴＳに含まれているタイトルの再生コンテンツであり、当該コンテンツの格納・管理の単
位の一つとして「セル」（図３参照）という単位がある。各セル９３には固有の識別番号
またはＩＤ番号が付されており、この識別番号を指定することによってセル９３の再生順
序を規定することができ、そのようにして連続で再生されるセル９３の集まりが１つのタ
イトル９１を構成する。このような各タイトル９１におけるセル９３の再生情報すなわち
セル９３の再生順序の情報を具現化する手段はプログラムチェーンＰＧＣ（図３参照）と
呼ばれる。
【００３１】
図３に示すように、プログラムチェーンＰＧＣ（換言すればタイトル９１）はＤＶＤ２
００の管理情報ファイル９０において規定されており、当該管理情報ファイル９０はビデ
オマネージャ情報ＶＭＧＩまたは／およびビデオタイトルセット情報ＶＴＳＩのファイル
（いわゆるＩＦＯファイル）に該当する。
【００３２】
なお、図３では管理情報ファイル９０が１つのプログラムチェーンＰＧＣを含む場合を
例示しているが、複数のプログラムチェーンＰＧＣを含む場合もある。図３の構造図に示
すように、プログラムチェーンＰＧＣでは、１番目に再生するセルの識別番号、２番目に
再生するセルの識別番号、…を順に指定することにより、セルの識別番号とそのセルの再
生順序とが関係づけられる。図３では６番目まで指定する場合を例示しているが、図中の
「セル＃１」という記述は“１番目に再生されるセル”を意味し、必ずしもセルの識別番
号が“１”であることと一致しない。
【００３３】
プログラムチェーンＰＧＣには、１番目のセル＃１を再生する前に実行するコマンドで
あるプリコマンド９５、最後の（ここでは６番目の）セル９３を再生した後に実行するコ
マンドであるポストコマンド９６、および、セル９３の再生時に実行されるコマンドであ
るセルコマンド９７を置くことができる。なお、プログラムチェーンＰＧＣ内の連続する
セルを管理情報ファイル９０において「チャプター」という単位に定義することができ、
図３では１つのタイトル９１が２つのチャプター９２からなる場合を例示している。
【００３４】
次に、ＤＶＤ−ＶＩＤＥＯフォーマットに準拠したタイトル９１を編集する場合におけ
るＤＶＤ装置１での動作（換言すればＤＶＤ装置１の編集装置としての側面）または制御
部１０による制御を説明する。
【００３５】
まず、図４および図５に第１の編集方法ＳＴ１０を説明するための模式図およびフロー
チャートを示す。ここでは、図４に示すように、ＤＶＤ２００に記録された編集対象のタ
イトル９１がチャプター９２を含み、当該チャプター９２が６つのセル９３から成る場合
を例に挙げる。なお、当該ＤＶＤ２００にはタイトル１を規定する管理情報ファイル９０
も記録されている。
【００３６】
ここで、「ＤＶＤ２００にタイトル９１が記録されている」とは当該ＤＶＤ２００に記
録された管理情報ファイル９０に従って再生されてタイトル９１を成すセル９３群が記録
されていることを意味するものとする。
【００３７】
第１の編集方法ＳＴ１０では、ユーザが、リモコン５１（図１参照）等の操作によって
、セル９３（ここでは再生順序が４番目のセル９３とする）を指定または選択して当該セ
ル９３を削除する指示を入力したならば、メイン制御部１０は、図５にステップＳＴ１１
として示すように、入力部５０（図１参照）を介してその指示を取得する。
【００３８】
かかる指示の取得によってメイン制御部１０は、図５にステップＳＴ１２として示すよ
うに、ユーザが指定したセル９３（換言すれば削除部分）よりも再生順序が１つ前である
３番目のセル９３の再生後は当該指定セル９３の再生を飛ばす内容のセルコマンド９７を
、ＤＶＤドライブ部２０を制御してＤＶＤ２００内の管理情報ファイル９０に書き込む（
第１制御）。より具体的には、３番目のセル９３の再生後は指定セル９３よりも再生順序
が１つ後ろの５番目のセル９３へ移動するセルコマンド“ＬｉｎｋＣＮ  ５”を、管理情
報ファイル９０においてタイトル９１の再生情報が記述されたプログラムチェーンＰＧＣ
に対して書き込む。
【００３９】
なお、連続する複数のセル９３を削除する場合には、そのようなセル群から成る削除部
分の次のセル９３を移動先として設定してセルコマンド“ＬｉｎｋＣＮ”を記述するよう
に、メイン制御部１０の実行プログラムを作成すればよい。
【００４０】
次に、図６、図７および図８に第２の編集方法ＳＴ２０を説明するための模式図および
フローチャートを示す。ここでは、ＤＶＤ２００には、図６の（Ａ）に示すように既述の
図４と同様のタイトル９１が編集対象の第１タイトル９１として記録されており（図中で
は「タイトル＃１」と表記している）、さらに図６の（Ｂ）に示す第２タイトル９１（図
中では「タイトル＃２」と表記している）が記録されている。なお、第２タイトル９１は
１つのチャプター９２を含み、当該チャプター９２が、セルの削除を視聴者に知らせる映
像に対応した１つのセル９３から成る場合を例に挙げる。
【００４１】
また、ＤＶＤ２００内の管理情報ファイル９０（図３参照）には第１タイトル９１およ
び第２タイトル９１の双方についてプログラムチェーンＰＧＣ等が規定されているものと
する。換言すれば、第１タイトル９１および第２タイトル９１のそれぞれのプログラムチ
ェーンＰＧＣ等が規定されているファイルの総称が「管理情報ファイル９０」にあたる。
【００４２】
図８に示すように、第２の編集方法ＳＴ２０では、既述のステップＳＴ１１と同様にユ
ーザから指定のセル９３（ここでは再生順序が４番目のセル９３とする）を削除する指示
を取得すると、メイン制御部１０は、ステップＳＴ２１Ａ，ＳＴ２１Ｂ，ＳＴ２１Ｃから
成るステップＳＴ２１を実施する（第２制御）。
【００４３】
まず、図８にステップＳＴ２１Ａとして示すように、メイン制御部１０は、ユーザが指
定したセル９３（換言すれば削除部分）よりも再生順序が１つ前である３番目のセル９３
の再生後は当該指定セル９３の再生を飛ばす内容のセルコマンド９７を、ＤＶＤドライブ
部２０を制御してＤＶＤ２００内の管理情報ファイル９０に書き込む。より具体的には、
３番目のセル９３の再生後は第２タイトル９１へジャンプするセルコマンド“ＪｕｍｐＴ
Ｔ  ２”を、管理情報ファイル９０において第１タイトル９１の再生情報が記述されたプ
ログラムチェーンＰＧＣに対して書き込む。
【００４４】
さらに、メイン制御部１０は、図８にステップＳＴ２１Ｂとして示すように、第１タイ
トル９１において削除指定セル９３よりも再生順序が後ろの部分（ここでは５番目および
６番目のセル９３）を新規のチャプター９２として分割する（図７参照）。このようなチ
ャプター分割は、管理情報ファイル９０において第１タイトル９１におけるチャプター９
２の定義を変更し、ＤＶＤ２００内の管理情報ファイル９０を更新することにより可能で
ある。分割後には、図７に示すように、分割元に残った１番目から４番目までのセル９３
によって第１チャプター９２（図中では「チャプター＃１」と表記している）が構成され
、分割による新規のチャプター９２によって第２チャプター９２（図中では「チャプター
＃２」と表記している）が構成され、この結果、第１タイトル９１は２つのチャプター９
２で構成されることになる。
【００４５】
さらに、メイン制御部１０は、図８にステップＳＴ２１Ｃとして示すように、第２タイ
トル９１の再生後は第１タイトル９１内の新規作成された第２チャプター９２へジャンプ
するポストコマンド９６を、ＤＶＤドライブ部２０を制御してＤＶＤ２００内の管理情報
ファイル９０に書き込む。具体的には、ポストコマンド“ＪｕｍｐＶｔｓＰｔｔ（１，２
）”を、管理情報ファイル９０において第２タイトル９１の再生情報が記述されたプログ
ラムチェーンＰＧＣに書き込む。
【００４６】
なお、ステップＳＴ２１Ｃでのポストコマンド“ＪｕｍｐＶｔｓＰｔｔ”はジャンプ先
をチャプター番号で指定するので当該ステップＳＴ２１Ｃはチャプター分割ステップＳＴ
２１Ｂよりも後に実行する必要があるが、ステップＳＴ２１Ａ，ＳＴ２１Ｂの実行順序は
上述の例と逆であっても構わない。
【００４７】
また、上述の例ではステップＳＴ２１Ａ，ＳＴ２１Ｂ，ＳＴ２１ＣごとにＤＶＤ２００
内の管理情報ファイル９０への書き込みをするものとしたが、メイン制御部１０のメモリ
１２上で管理情報ファイル９０に対してステップＳＴ２１Ａ，ＳＴ２１Ｂ，ＳＴ２１Ｃに
よる加工を施した後に一括してＤＶＤ２００へ書き込むように構成してもよい。このよう
な場合であっても、ステップＳＴ２１Ａ，ＳＴ２１Ｂ，ＳＴ２１Ｃによる変更がＤＶＤ２
００内の管理情報ファイル９０に書き込まれることには変わりない。
【００４８】
なお、連続する複数のセル９３を削除する場合には、そのようなセル群から成る削除部
分よりも再生順序が後ろの部分を新規チャプター９２として分割するように、メイン制御
部１０の実行プログラムを作成すればよい。
【００４９】
さて、上述の第１および第２の編集方法ＳＴ１０，ＳＴ２０を応用して図９に示す第３
の編集方法ＳＴ３０を構成することもできる。詳細には、ユーザが、リモコン５１（図１
参照）等の操作によって、削除するセル９３および削除方法（第１の編集方法ＳＴ１０に
おける第１制御ＳＴ１２と第２の編集方法ＳＴ２０における第２制御ＳＴ２１とのいずれ
かによる削除）を指定または選択して削除指示をしたならば、メイン制御部１０は、図９
にステップＳＴ３１として示すように、入力部５０（図１参照）を介してその指示を取得
する。そして、メイン制御部１０は、指定された削除方法、すなわち第１制御ＳＴ１２ま
たは第２制御ＳＴ２１によって、指定されたセル９３の削除を実行する。
【００５０】
このようなＤＶＤ装置１またはＤＶＤ装置１の編集装置としての側面によれば、ＤＶＤ
−ＶＩＤＥＯフォーマットでは規格上データの物理的な削除ができないところ、編集後の
管理情報ファイル９０に従ってタイトル９１を再生すると指定された削除セル９３の再生
は飛ばされて再生されないので、視聴者からは当該セル９３が削除されたように見える。
すなわち仮想的な削除が可能である。このとき、セルコマンド９７の利用によってセル９
３単位で削除を実施できるので、実用性の高い編集を行うことができる。
【００５１】
特に、ステップＳＴ１２として実施される第１制御によれば、削除セル９３を飛ばして
当該削除セル９３の前後を連続的に再生することができるので、削除編集されたことを感
じさせない視聴を提供することができる。また、ステップＳＴ２１として実施される第２
制御によれば、削除セル９３に替えて第２タイトル９１が再生されるので、削除されたセ
ル９３があることを視聴者に知らせることができる。このとき、第２タイトル９１の再生
後は第１タイトル９１中の新規のチャプター９２すなわち削除セル９３の後ろへジャンプ
するので、削除セル９３よりも後ろの再生について視聴者の手を煩わせることがない。さ
らに、第１制御および第２制御を応用した第３の編集方法によれば、削除方法をユーザが
選択できるので、ユーザにとっては編集の幅が広がることになる。
【００５２】
なお、連続する複数のセル９３を削除する場合であっても上述と同様の効果が得られる
。
【００５３】
ところで、タイトル９１および管理情報ファイル９０は、上述のＤＶＤ２００に限られ
ず、メイン制御部１０の制御下にある記録媒体ドライブ部を介して書き込み可能な記録媒
体に記録されていればよく、例えばハードディスク部３０内のハードディスク３００（図
１参照）にタイトル９１および管理情報ファイル９０が記録されている場合においてもハ
ードディスクドライブ部３１（図１参照）を介して上述と同様の制御が適用可能である。
【００５４】
また、ＤＶＤ装置１はいわゆる（ＨＤＤ内蔵）ＤＶＤレコーダであるが、ＤＶＤ装置１
における上述の制御・動作、すなわち編集装置としての側面は、例えばパーソナルコンピ
ュータ（デスクトップ型であるとノート型であるとを問わない）を利用した構成によって
も実現可能である。この場合においても、上述と同様に、タイトル９１および管理情報フ
ァイル９０の記録場所はＤＶＤ２００に限られない。
【図面の簡単な説明】
【００５５】
【図１】は、実施形態に係るＤＶＤ装置を説明するためのブロック図である。
【図２】は、ＤＶＤ−ＶＩＤＥＯフォーマットを説明するための模式図である。
【図３】は、ＤＶＤ−ＶＩＤＥＯフォーマットを説明するための模式図である。
【図４】は、実施形態に係るＤＶＤ装置による第１の編集方法（第１制御）を説明するための模式図である。
【図５】は、実施形態に係るＤＶＤ装置による第１の編集方法（第１制御）を説明するためのフローチャートである。
【図６】は、実施形態に係るＤＶＤ装置による第２の編集方法（第２制御）を説明するための模式図である。
【図７】は、実施形態に係るＤＶＤ装置による第２の編集方法（第２制御）を説明するための模式図である。
【図８】は、実施形態に係るＤＶＤ装置による第２の編集方法（第２制御）を説明するためのフローチャートである。
【図９】は、実施形態に係るＤＶＤ装置による第３の編集方法を説明するためのフローチャートである。
【符号の説明】
【００５６】
１    ＤＶＤ装置（光ディスク装置、編集装置）
１０    制御部
２０    ＤＶＤドライブ部（光ディスクドライブ部、記録媒体ドライブ部）
３１    ハードディスクドライブ部（記録媒体ドライブ部）
５０    入力部
９０    管理情報ファイル
９１    タイトル
９２    チャプター
９３    セル
９６    ポストコマンド
９７    セルコマンド
２００    ＤＶＤ（光ディスク、記録媒体）
３００    ハードディスク（記録媒体）
ＳＴ１２    ステップ（第１制御）
ＳＴ２１    ステップ（第２制御）
ＳＴ２１Ａ，ＳＴ２１Ｂ，ＳＴ２１Ｃ    ステップ（制御）
【図１】
2006338708.tif 000003
【図２】
2006338708.tif 000004
【図３】
2006338708.tif 000005
【図４】
2006338708.tif 000006
【図５】
2006338708.tif 000007
【図６】
2006338708.tif 000008
【図７】
2006338708.tif 000009
【図８】
2006338708.tif 000010
【図９】
2006338708.tif 000011